(57)【要約】【課題】高伸度で高回復性がありフリーなカッティングで使用できる経編地及びその経編地を用いたインナーウェアを提供する。【解決手段】非弾性糸１０と弾性糸２０とが編み目を形成している経編地において、弾性糸２０が、非弾性糸１０と同方向にアンダーラップし、全コースのうち半分以上のコースで開き目の２目編となっていることを特徴とする。【選択図】図１
2017201064.tif 000002
【特許請求の範囲】
【請求項１】
非弾性糸と弾性糸とが編み目を形成している経編地において、
前記弾性糸が、前記非弾性糸と同方向にアンダーラップし、全コースのうち半分以上のコースで開き目の２目編となっていることを特徴とする経編地。
【請求項２】
前記非弾性糸のランナー長が９０ｃｍ／ラック以上である、請求項１に記載の経編地。
【請求項３】
前記弾性糸のランナー長が１４０ｃｍ／ラック以下である、請求項１又は２に記載の経編地。
【請求項４】
コース密度が１６０コース／インチ以上である、請求項１〜３のいずれか１項に記載の経編地。
【請求項５】
経伸度と緯伸度がそれぞれ２５０％以上である、請求項２に記載の経編地。
【請求項６】
経方向と緯方向のヒステリシスがそれぞれ０．７以上である、請求項３に記載の経編地。
【請求項７】
請求項１〜６のいずれか１項に記載の経編地を少なくとも一部に用いたインナーウェア。
【発明の詳細な説明】
【技術分野】
【０００１】
本発明は経編地及びインナーウェアに関する。
【背景技術】
【０００２】
ガードル等のインナーウェアの裾を編地端始末すると裾に厚みが出てしまうため、それを避けるため、インナーウェアに用いられる経編地には、フリーなカッティング（折り返し縫い等の編地端始末がされていない切りっぱなしの状態）で使用できることが求められている。経編地がフリーなカッティングで使用できるためには、カット後の編地端にカールやほつれが発生しにくいことが重要である。また、インナーウェアの着脱し易さや着用感を向上させるために、インナーウェアに用いられる経編地には、高い伸度及び高い回復性が求められている。
【０００３】
これらの求めに応えるため特許文献１の経編地が提案されている。この経編地は非弾性糸及び弾性糸からなる編組織を有し、弾性糸を２目編とすることにより、経伸度だけでなく緯伸度も高くしている。さらに、別の弾性糸を挿入することにより、経編地の伸度をより高めるとともに、経編地をカールしにくくしている。
【先行技術文献】
【特許文献】
【０００４】
【特許文献１】特許第４１０２８２９号公報
【発明の概要】
【発明が解決しようとする課題】
【０００５】
しかし、経編地に弾性糸を挿入すると、経編地のコストが高くなる等の問題がある。
【０００６】
本発明は、以上の実情に鑑みてなされたものであり、高伸度で高回復性がありフリーなカッティングで使用できる経編地及びその経編地を用いたインナーウェアを提供することを課題とする。
【課題を解決するための手段】
【０００７】
実施形態の経編地は、非弾性糸と弾性糸とが編み目を形成している経編地において、前記弾性糸が、前記非弾性糸と同方向にアンダーラップし、全コースのうち半分以上のコースで開き目の２目編となっていることを特徴とする。
【図面の簡単な説明】
【０００８】
【図１】非弾性糸１０の編組織が１０／１２、弾性糸２０の編組織が０２／３１である経編地の編組織図。
【図２】非弾性糸１０の編組織が１０／２１／２３／１２、弾性糸２０の編組織が０２／２４／５３／３１である経編地の編組織図。
【図３】非弾性糸１０の編組織が１０／２１／２３／１２、弾性糸２０の編組織が０２／２３／４２／２１である経編地の編組織図。
【図４】非弾性糸１０の編組織が１０／２１／２３／１２、弾性糸２０の編組織が０２／３２／４２／１２である経編地の編組織図。
【図５】トリコット機の編成部を横から見た図。
【図６】（ａ）ガードル４０の正面図。（ｂ）ガードル４０の背面図。
【発明を実施するための形態】
【０００９】
本実施形態の経編地は、非弾性糸と弾性糸とが編み目を形成し、各コース間において非弾性糸と弾性糸とが同方向にアンダーラップしている経編地である。
【００１０】
非弾性糸の編組織として、例えば、デンビ編組織、コード編組織、アトラス編組織が挙げられる。非弾性糸は、全てのコースで閉じ目の編み目を形成していても良いし、一部のコースで閉じ目の編み目を形成し残りのコースで開き目の編み目を形成していても良いし、全てのコースで開き目の編み目を形成していても良い。
【００１１】
弾性糸の編組織は、全てのコースのうちの半分以上のコースで開き目の２目編となっている組織である。この弾性糸の編組織としては、例えば、弾性糸が全てのコースで開き目の２目編となっている組織や、開き目の２目編とそれ以外の編み目とが交互に繰り返されている組織が挙げられる。この弾性糸の編組織における、開き目の２目編以外の編み目としては、例えば、開き目の１目編や、閉じ目の１目編が挙げられる。弾性糸の編組織の１繰り返し単位あたりの振り幅は、例えば、３ウェール以上５ウェール以下である。
【００１２】
本実施形態の経編地では、以上のような非弾性糸の編組織と弾性糸の編組織とが、同じコース間で同方向にアンダーラップするようにして、組み合わされている。組み合わせには様々なものがあり、例えば、非弾性糸を全てのコースで閉じ目の編組織とし、弾性糸を全てのコースで開き目の編組織とし、同じコースで閉じ目の編み目が重ならないようにしても良い。また、非弾性糸を全てのコースで閉じ目の編組織とし、弾性糸を全てのコースで開き目の２目編の編組織としても良い。図１〜図４は非弾性糸１０の編組織と弾性糸２０の編組織との好ましい組み合わせからなる経編地の例である。
【００１３】
図１の経編地では、非弾性糸１０が１０／１２の繰り返し単位からなるデンビ編組織となり、弾性糸２０が０２／３１の繰り返し単位からなる編組織となっている。図１からも明らかなように、弾性糸２０は、全てのコースで開き目の２目編となっており、また、１繰り返し単位あたり３ウェールの振り幅となっている。非弾性糸１０と弾性糸２０とは、全てのコース間で同方向にアンダーラップしている。
【００１４】
図２の経編地では、非弾性糸１０が１０／２１／２３／１２の繰り返し単位からなるアトラス編組織となり、弾性糸２０が０２／２４／５３／３１の繰り返し単位からなる編組織となっている。図２からも明らかなように、弾性糸２０は、全てのコースで開き目の２目編となっており、また、１繰り返し単位あたり５ウェールの振り幅となっている。非弾性糸１０と弾性糸２０とは、全てのコース間で同方向にアンダーラップしている。
【００１５】
図３の経編地では、非弾性糸１０が１０／２１／２３／１２の繰り返し単位からなるアトラス編組織となり、弾性糸２０が０２／２３／４２／２１の繰り返し単位からなる編組織となっている。図３からも明らかなように、弾性糸２０は、開き目の２目編と開き目の１目編とが交互に繰り返された編組織となっており、また、１繰り返し単位あたり４ウェールの振り幅となっている。非弾性糸１０と弾性糸２０とは、全てのコース間で同方向にアンダーラップしている。
【００１６】
図４の経編地では、非弾性糸１０が１０／２１／２３／１２の繰り返し単位からなるアトラス編組織となり、弾性糸２０が０２／３２／４２／１２の繰り返し単位からなる編組織となっている。図４からも明らかなように、弾性糸２０は、開き目の２目編と閉じ目の１目編とが交互に繰り返された編組織となっており、また、１繰り返し単位あたり４ウェールの振り幅となっている。非弾性糸１０と弾性糸２０とは、全てのコース間で同方向にアンダーラップしている。
【００１７】
なお、図１〜図４に示されている編組織以外にも、様々な編組織があり得る。
【００１８】
本実施形態の経編地において、非弾性糸のランナー長は、９０ｃｍ／ラック以上であることが好ましく、１００ｃｍ／ラック以上であることがさらに好ましく、９０ｃｍ／ラック以上１３０ｃｍ／ラック以下又は１００ｃｍ／ラック以上１３０ｃｍ／ラック以下であることがさらに好ましい。
【００１９】
また、弾性糸のランナー長は、１４０ｃｍ／ラック以下であることが好ましく、１３０ｃｍ／ラック以下であることがさらに好ましく、１００ｃｍ／ラック以上１４０ｃｍ／ラック以下又は１００ｃｍ／ラック以上１３０ｃｍ／ラック以下であることがさらに好ましい。ここで、１ラック＝４８０コースである。従ってランナー長とは４８０コースを編むのに要する糸の長さのことである。
【００２０】
また、本実施形態の経編地において、コース密度は、１６０コース／インチ以上であることが好ましく、１７０コース／インチ以上であることがさらに好ましく、１６０コース／インチ以上２２０コース／インチ以下又は１７０コース／インチ以上２２０コース／インチ以下であることがさらに好ましい。また、ウェール密度は、６５ウェール／インチ以上９０ウェール／インチ以下であることが好ましい。なお１インチは２５．４ｍｍである。
【００２１】
本実施形態において、非弾性糸とは伸縮性の低い糸のことである。本実施形態における非弾性糸として、例えば綿糸、絹糸等の天然繊維、ポリエステル糸、ポリアクリル糸、ナイロン糸、レーヨン糸等の合成繊維、天然繊維と合成繊維との混紡糸等が挙げられる。非弾性糸の太さは、好ましくは１１Ｔ（デシテックス）以上５６Ｔ以下であり、さらに好ましくは２２Ｔ以上３３Ｔ以下である。
【００２２】
また、本実施形態において、弾性糸とは伸縮性の高い糸のことである。本実施形態における弾性糸として、例えばポリウレタン弾性糸、ポリウレタン弾性糸を芯糸とするカバーリングヤーン、ポリエーテルエステル系弾性糸等が挙げられる。弾性糸の太さは、好ましくは２２Ｔ以上７８Ｔ以下であり、さらに好ましくは２２Ｔ以上３３Ｔ以下である。
【００２３】
本実施形態の経編地は、少なくともフロント筬とバック筬とを備える経編機によって編成される。経編機の種類は限定されないが、編み目を小さくできる点で、トリコット機が好ましい。図５にトリコット機の編成部を示す。トリコット機はその幅方向に一列に並ぶ複数の編み針３０を備える。また、トリコット機はその前後方向に並ぶ複数の筬を備え、各筬はトリコット機の幅方向に一列に並ぶ複数のガイドを備える。図５には複数の筬としてフロント筬３１とバック筬３２が描かれている。フロント筬３１に非弾性糸が、バック筬３２に弾性糸がそれぞれ導糸され、上記の編組織の生機が編成される。この生機の編成において、非弾性糸及び弾性糸のランナー長が上記の範囲内の値になるように編成される。なお、図５において、符号３３はシンカーを、符号３４はトングを、それぞれ表している。
【００２４】
編成された生機が、染色及びヒートセットされて、最終的な経編地となる。ヒートセットにより、経編地の編組織が安定化し、コース密度が上記の範囲内の値になる。ヒートセットの条件は、限定されないが、例えば次の通りである。まず、１回目のヒートセットの前に、リラックス状態にするために生機が揉まれる。次に、１回目のヒートセット（プレセット）で、経編地が、一般的なヒートセットの温度及び時間と比べて高温かつ長時間、保持される。例えば、経編地が、１９０℃以上１９５℃以下のチャンバー内を１０ｍ／分以上１５ｍ／分以下の速さで通過することにより、高温で長時間保持される。１回目のヒートセット中、経編地に引っ張り方向の張力がかからないようにする。１回目のヒートセットにより経編地の編組織が安定化する。１回目のヒートセット後、経編地が染色される。染色後、経編地に対し２回目のヒートセットが行われる。２回目のヒートセットでは、経編地が例えば１５０℃以上１７０℃以下に保持される。２回目のヒートセットにより編組織が乾燥する。
【００２５】
染色及びヒートセット後の経編地は、所定の形状に裁断され、インナーウェアの少なくとも一部として用いられる。本実施形態の経編地は、インナーウェアの中でも特に裾等の端部を含む部分に用いられることが好ましい。もちろんインナーウェア全体に本実施形態の経編地が用いられていても良い。図６に本実施形態の経編地が用いられたインナーウェアとしてのガードル４０を示す。本実施形態の経編地は、ガードル４０の腹部４１及び脇〜ヒップ部４２に用いられている。経編地はガードル４０の裾４３においてフリーなカッティング（切りっぱなしで編地端始末されていない状態）になっている。ガードル以外のインナーウェアとして、例えば、ボディスーツ、ニッパー、ブラジャー、ショーツ等が挙げられる。
【００２６】
本実施形態の経編地及びインナーウェアは以下のような効果を奏する。
【００２７】
なお、以下の説明において、伸度とは、定速伸長形引張試験機を用いた次の方法によって求められる伸度のことである。まず、ヒートセット後の経編地から、縦１６０ｍｍ、横２５ｍｍの試験片を切り出す。ここで、経伸度を測定するときは、経編地の経方向を試験片の縦方向とし、緯伸度を測定するときは、経編地の緯方向を試験片の縦方向とする。そして、試験片の縦方向の両端を定速伸長形引張試験機のクリップで掴む。このとき、試験片の上部つかみ長さを２５ｍｍ、下部つかみ長さを３５ｍｍとし、つかみ間隔を１００ｍｍとする。その後、試験片に対して３００±２０ｍｍ／分の速さで２２．１Ｎの荷重をかけ、荷重１４．７Ｎでの試験片の長さＬ（ｍｍ）を測定する。そして、引っ張ったときの試験片の伸び量の、引っ張る前の試験片の長さに対する割合を、伸度（％）とする。つまり、伸度（％）＝｛（Ｌ−１００）／１００｝×１００とする。
【００２８】
また、以下の説明において、ヒステリシスとは、次の方法によって求められるヒステリシスのことである。まず、ヒートセット後の経編地から、縦１６０ｍｍ、横２５ｍｍの試験片を切り出す。ここで、経方向のヒステリシスを測定するときは、経編地の経方向を試験片の縦方向とし、緯方向のヒステリシスを測定するときは、経編地の緯方向を試験片の縦方向とする。そして、試験片の縦方向の両端を定速伸長形引張試験機のクリップで掴む。このとき、試験片の上部つかみ長さを２５ｍｍ、下部つかみ長さを３５ｍｍとし、つかみ間隔を１００ｍｍとする。その後、経編地を伸度が８０％になるまで３００±２０ｍｍ／分の速さで伸長させてから０％まで回復させることを、３回繰り返す。そして３回目の伸長及び回復時に、伸長時の３０％伸長状態での応力である伸長力と、回復時の３０％伸長状態での応力である緊迫力とを測定し、ヒステリシス＝緊迫力／伸長力とする。ヒステリシスが１に近いほど回復性が高い。
【００２９】
本実施形態の経編地は、弾性糸が全コースのうちの半分以上のコースで開き目の２目編となっているため、経伸度も緯伸度も高く、また高回復性を有する。さらに、本実施形態の経編地では各コース間において非弾性糸と弾性糸とが同方向にアンダーラップしているため、経編地の伸度がさらに高く、また経編地がフリーなカッティングで使用できるものとなっている。詳細に説明すると、非弾性糸と弾性糸とが同方向にアンダーラップしているため、非弾性糸と弾性糸とがクロスしている場合と比較して、非弾性糸と弾性糸とのこすれが生じにくく、糸に張力をかけて編み目を形成しても糸が切れにくい。そのため編み目を小さく締まった状態にすることが可能となる。編み目が小さく締まった状態になると、経編地が伸びやすくなり、また経編地のカットされた部分にカールやほつれが発生しにくくなる。このように、本実施形態の経編地は、弾性糸が挿入されていないにもかかわらず、高伸度で高回復性があり、またフリーなカッティングで使用できる経編地となっている。ちなみに、弾性糸が開き目の２目編であるコースが多いほど経編地の回復性が高い。
【００３０】
また、上記の編組織の経編地において、糸のランナー長を好ましい範囲とすることにより、経編地の伸度及び回復性をより高くすることができる。
【００３１】
具体的に説明すると、非弾性糸は伸縮しにくいが、非弾性糸のランナー長が９０ｃｍ／ラック以上であれば経編地の伸びしろが十分確保されるため、経編地の経伸度及び緯伸度が高くなる。また、非弾性糸のランナー長が１００ｃｍ／ラック以上である場合、さらに経編地の経伸度及び緯伸度が高くなり、この場合の経伸度及び緯伸度は、それぞれ２５０％以上となる。また、非弾性糸のランナー長を１００ｃｍ／ラック以上とした上で、弾性糸のランナー長を最適範囲にしたり、弾性糸及び非弾性糸の種類や太さを最適なものにしたりすることにより、経伸度と緯伸度との和を５４０％以上とすることもできる。また、非弾性糸のランナー長が１３０ｃｍ／ラック以下であれば、隣り合う非弾性糸同士が密着しにくく、また、非弾性糸にかかるテンションにムラが生じにくい。
【００３２】
また、弾性糸のランナー長が１４０ｃｍ／ラック以下であれば、経編地に働く収縮力が大きくなるため経編地の回復性が高くなり、また編密度が高くなるため伸度も高くなる。また、弾性糸のランナー長が１３０ｃｍ／ラック以下である場合、さらに経編地の回復性が高くなり、この場合のヒステリシスは０．７以上となる。
【００３３】
また、非弾性糸のランナー長の好ましい範囲と、弾性糸のランナー長の好ましい範囲との組み合わせにより、経編地の伸度及び回復性がより高くなる。
【００３４】
また、上記の編組織の経編地において、コース密度が１６０コース／インチ以上であれば、経編地の伸度が高くなり、１７０コース／インチ以上であれば、経編地の伸度がさらに高くなる。また、糸のランナー長の好ましい範囲とコース密度の好ましい範囲との組み合わせにより、経編地の伸度及び回復性がより高くなる。
【００３５】
また、以上の経編地において、非弾性糸の太さが１１Ｔ以上５６Ｔ以下であれば、糸が細過ぎないため切れにくく、また糸が太過ぎないため経編地の編密度をより高くできる。非弾性糸の太さが２２Ｔ以上３３Ｔ以下であれば、糸の切れにくさと経編地の編密度の高さとをより良い状態で両立できる。また、弾性糸の太さが２２Ｔ以上であれば、糸が細過ぎないため切れにくい。また、弾性糸の太さが、７８Ｔ以下であれば経編地の編密度を高くでき、３３Ｔ以下であれば経編地の編密度をさらに高くできる。
【００３６】
また、本実施形態の経編地は経伸度及び緯伸度が高く高回復性を有するため、この経編地を少なくとも一部に用いたインナーウェアは、着脱し易く、着用時に窮屈感が無い。また本実施形態の経編地はカールしにくくフリーなカッティングで使用できるため、この経編地をインナーウェアの裾等の端部を含む部分に用いた場合、その端部を始末する必要が無い。
【００３７】
以上の実施形態に対して様々な変更を行うことができる。
【００３８】
例えば、経編地には、上記の編組織となる非弾性糸及び弾性糸に加えて、さらに別の糸が編成されていても良い。例えば非弾性糸が挿入されていても良い。前記の別の糸が導糸される場合、経編地を編成する経編機は３枚以上の筬を備える。
【００３９】
また、上記実施形態に記載されている非弾性糸及び弾性糸は、それぞれ複数の筬から導糸されても良い。例えば、弾性糸が２枚の筬にそれぞれ１イン１アウトで導糸され、２枚の筬全体でフルセット分の弾性糸が揃えられ、これらの筬が用いられることによって弾性糸が上記の編組織になるように編成されても良い。
【００４０】
以上の実施形態は例示であり、発明の範囲はこれに限定されない。以上の実施形態に対して、発明の要旨を逸脱しない範囲で、様々な変更、置換、省略等を行うことができる。
【符号の説明】
【００４１】
１０…非弾性糸、２０…弾性糸、３０…編み針、３１…フロント筬、３２…バック筬、３３…シンカー、３４…トング、４０…ガードル、４１…腹部、４２…脇〜ヒップ部、４３…裾
【図１】
2017201064.tif 000003
【図２】
2017201064.tif 000004
【図３】
2017201064.tif 000005
【図４】
2017201064.tif 000006
【図５】
2017201064.tif 000007
【図６】
2017201064.tif 000008